(57)【要約】【課題】従来の体重計では、カバーの側方に向けて荷重が働くと、計量値に大きな誤差が生じることがあった。【解決手段】カバー２の各側壁部２２とベース３の各側壁部３２との間には、水平位置固定バネ８が取り付けられている。水平位置固定バネ８は、コイル部８ａを挟んだ一端部にフック部８ｂ、他端部に係止部８ｃを備えた引張コイルバネから構成されている。ベース２の側壁部２２にはバネ係止孔２５が設けられている。側壁部３２には、水平位置固定バネ８のコイル部８ａが挿通されるバネ挿通孔３８が設けられている。底板部３１にはホルダー３６が設けられている。水平位置固定バネ８は、係止部８ｃをバネ係止孔２５の周縁に係止させると共に、フック部８ｂをホルダー３６の引掛孔３７ａに掛けられてカバー２とベース３との間に介装され、側壁部２２のバネ係止孔２５の周縁部を、側壁部３２のバネ挿通孔３８の周縁部に向けて付勢している。【選択図】  図６
2009069126.tif 000002
【特許請求の範囲】
【請求項１】
槓桿式秤が備えるベースの備える側壁に、カバーの備える側壁を対面させてベースに取り付けられるカバーの取付構造であって、
前記カバーの備える側壁の所定箇所を、前記ベースの備える側壁の対応箇所に対して所定の中立位置に付勢する付勢手段を備えることを特徴とするカバーの取付構造。
【請求項２】
前記付勢手段は、前記ベースの側壁を貫通するベース側孔と、前記ベース側孔に向かい合って位置して前記カバーの側壁を貫通するカバー側孔とを挿通して、一端を前記ベースに固定されると共に他端を前記カバー側孔の周縁部に係止されて前記カバーを前記ベース側に付勢する引張コイルバネから形成され、
前記カバー側孔の周縁部が前記カバーの内側に向けて屈曲していることを特徴とする請求項１に記載のカバーの取付構造。
【請求項３】
前記引張コイルバネは、前記他端にフック部を備え、
前記ベースは、前記引張コイルバネの前記フック部が掛けられる引掛孔が形成されたホルダーを備え、
前記フック部は、前記引掛孔に下側から上側に挿通させて前記引掛孔に掛けられていることを特徴とする請求項２に記載のカバーの取付構造。
【請求項４】
ベースの周囲を囲う側壁に、カバーの周囲を囲う側壁を対面させて、前記カバーを前記ベースに取り付けて構成された槓桿式秤であって、
請求項１〜請求項３の何れかに記載の取付構造を用いて前記カバーを前記ベースに取り付けたことを特徴とする槓桿式秤。
【請求項５】
前記カバーの周囲を囲う側壁に互いに向き合って位置する一対の前記所定箇所を、各前記所定箇所に対面する前記ベースの側壁の各対応箇所に対して所定の中立位置に付勢する付勢手段を設けたことを特徴とする請求項４に記載の槓桿式秤。
【発明の詳細な説明】
【技術分野】
【０００１】
本発明は、槓桿式秤が備えるカバーの取付構造、及び槓桿式秤に関する。
【背景技術】
【０００２】
従来、カバーをベースに取り付けて構成される槓桿式秤としては、下記の特許文献１に記載の体重計が開示されている。この体重計は、ベースの内面の４隅にある各支点刃で、それぞれベースの中央部側に向けて延びたアームの一端を支持している。ベースの前側隅部の支点刃で支持された各アームは、ベースの後端部まで延びてその先端部を受け台で支持されている。ベースの後側隅部の支点刃で支持された各アームの他端は、ベースの前側隅部の支点刃で支持された各アームの中央部で支持されている。受け台はロードセルの可動部に取り付けられている。
【０００３】
カバーの内面の４隅の中央部寄りには、それぞれ重点刃が取り付けられている。各重点刃は、それぞれアームに支持されている。ベースとカバーとの間には引っ張りバネが介装されており、この引っ張りバネによりカバーはベース側に付勢されて、ベースに対するカバーの取付位置が所定の位置に保たれている。
【０００４】
上方からカバーに荷重が加えられると、ベースの後側隅部の支点刃で支持された各アームが、前側隅部の支点刃で支持されたアームを下方に付勢する。ベースの前側隅部の支点刃で支持されたアームは、カバーから直接加えられる荷重と、ベースの後側隅部の支点刃で支持された各アームから加えられる荷重とを、受け台を介してロードセルに伝達する。これによりカバーに加えられた荷重がロードセルで検知され、体重が計量される。
【０００５】
【特許文献１】特開平８−８６６８６号公報
【発明の開示】
【発明が解決しようとする課題】
【０００６】
この種の体重計では、カバーの上に足を載置する際に加えられる荷重がカバーの側方に向けて働くと、ベースに対するカバーの取付位置がずれ、これに伴いアームでの重点刃の支持位置が、所定の位置からずれることがある。また、アームが水平方向に移動して、支点刃でのアームの支持位置が、所定の位置からずれることがある。これらの位置ずれが生じると、アームによりロードセルに伝達される荷重値も本来伝達されるべき値と異なる値となり、計量値に大きな誤差が生じることがあった。
【０００７】
本発明は、上記課題を解決することのできるカバーの取付構造、及び槓桿式秤を提供することを目的とする。
【課題を解決するための手段】
【０００８】
この欄の記載は特許請求の範囲の記載に応じて変更されます。
このような課題を解決するために、本発明のカバーの取付構造は、槓桿式秤が備えるベースの備える側壁に、カバーの備える側壁を対面させてベースに取り付けられるカバーの取付構造であって、前記カバーの備える側壁の所定箇所を、前記ベースの備える側壁の対応箇所に対して所定の中立位置に付勢する付勢手段を備えることを特徴とする。
また、本発明のカバーの取付構造は、前記付勢手段は、前記ベースの側壁を貫通するベース側孔と、前記ベース側孔に向かい合って位置して前記カバーの側壁を貫通するカバー側孔とを挿通して、一端を前記ベースに固定されると共に他端を前記カバー側孔の周縁部に係止されて前記カバーを前記ベース側に付勢する引張コイルバネから形成され、前記カバー側孔の周縁部が前記カバーの内側に向けて屈曲していることを特徴とする。
また、本発明のカバーの取付構造は、前記引張コイルバネは、前記他端にフック部を備え、前記ベースは、前記引張コイルバネの前記フック部が掛けられる引掛孔が形成されたホルダーを備え、前記フック部は、前記引掛孔に下側から上側に挿通させて前記引掛孔に掛けられていることを特徴とする。
また、本発明の槓桿式秤は、ベースの周囲を囲う側壁に、カバーの周囲を囲う側壁を対面させて、前記カバーを前記ベースに取り付けて構成された槓桿式秤であって、上記カバーの取付構造を用いて前記カバーを前記ベースに取り付けたことを特徴とする。
また、本発明の槓桿式秤は、前記カバーの周囲を囲う側壁に互いに向き合って位置する一対の前記所定箇所を、各前記所定箇所に対面する前記ベースの側壁の各対応箇所に対して所定の中立位置に付勢する付勢手段を設けたことを特徴とする。
【発明の効果】
【０００９】
本発明によれば、ベースに対するカバーの取付位置のずれを防止することができる。
【発明を実施するための最良の形態】
【００１０】
本発明の最良の形態を図面を参照して説明する。
図１は、本実施形態の体重計１を上方から見た斜視図である。また、図２は、体重計１のカバー２を内面側から見た斜視図である。また、図３は、体重計１のベース３を内面側から見た斜視図である。
【００１１】
図１に示すように、体重計１は、荷重の加えられるカバー２を、ベース３に取り付けて構成されている。カバー２の外面は平坦に構成されており、後端部の左右方向の中央部には、カバー２に加えられた荷重を計量値として表示する表示部２ａが設けられている。表示部２ａは、カバー２の内面側からカバー２の外面側を臨んで配置されている。カバー２の外面の左右方向の両側部は、それぞれ被験者が左右の足を載置する載置部２ｂとなっている。
【００１２】
図２に示すように、カバー２は、略四角形状の板状体から構成される荷重受部２１と、この荷重受部２１の縁部から内面側に延びる側壁部２２とを備えて構成されている。荷重受部２１の内面の左右の一対の側壁部２２の近傍には、後述するサイドスプリング９のフック部９ｂの掛けられる係止片２８が形成されている。また、荷重受部２１の内面の四隅にはカバー金具２３が固定されている。カバー金具２３には、平板体から構成された重点刃２４が、図３中の矢印Ａ方向に揺動自在に取り付けられている。
【００１３】
荷重受部２１の前端側の左右の隅部に位置するカバー金具２３は、重点刃２４の一主面を荷重受部２１の後端側の左右の幅方向の中央部に向けて荷重受部２１に固定されている。また、荷重受部２１の後端側の左右の隅部に位置するカバー金具２３は、重点刃２４の一主面を荷重受部２１の前端側に向けて荷重受部２１に固定されている。
【００１４】
また、各側壁部２２には、後述する水平位置固定バネ８の係止部８ｃが係止される、カバー側孔としてのバネ係止孔２５が設けられている。バネ係止孔２５の周囲の側壁部２２は、カバー２の内側に屈曲しており、この屈曲部分には後述する水平位置固定バネ８の係止部８ｃが収容される。各側壁部２２が備えるバネ係止孔２５は、対向して位置する側壁部２２のバネ係止孔２５と向かい合って位置している。
【００１５】
図３に示すように、ベース３は、略四角形状の板状体から構成される底板部３１と、この底板部３１の縁部から内面側に延びる側壁部３２とを備えて構成されている。各側壁部３２には、後述する水平位置固定バネ８のコイル部８ａが挿通される、ベース側孔としてのバネ挿通孔３８が設けられている。また、底板部３１の内面の左右の一対の側壁部３２の近傍には、後述するサイドスプリング９の係止部９ｃの係止されるバネ固定孔３５が形成されている。また、底板部３１の内面の四隅には、ベース金具３３が固定されている。
【００１６】
各ベース金具３３は、その上縁から下縁側に向けて延びる切込溝３４ａが形成された支点刃３４を備えている。底板部３１の前端側の左右の隅部に位置するベース金具３３は、支点刃３４の一主面を底板部３１の後端側の左右の幅方向の中央部に向けて底板部３１に固定されている。また、底板部３１の後端側の左右の隅部に位置するベース金具３３は、支点刃３４の一主面を底板部３１の前端側に向けて底板部３１に固定されている。
【００１７】
底板部３１の前端側のベース金具３３が備える各支点刃３４は、それぞれ短機槓桿４の基端部４ｂを支持している。各短機槓桿４は、後述する中間エッジ６に先端部４ａを挿通されている。また、底板部３１の後端側のベース金具３３が備える各支点刃３４は、それぞれ長機槓桿５の基端部５ｂを支持している。各長機槓桿５は、後述する中間エッジ６に先端部５ａ寄りの中央部５ｃを挿通され、先端部５ａを連結片７１に固定されている。
【００１８】
図４に示すように、短機槓桿４の基端部４ｂには、支点刃３４を受ける支点溝４１が形成されている。また、基端部４ｂ寄りの中央部４ｃには、重点刃２４を受ける重点溝４２が形成されている。また、先端部４ａには、中間エッジ６を受ける作用点溝４３が形成されている。短機槓桿４には、カバー２に加えられた荷重が、重点刃２４を介して伝達される。
【００１９】
図５に示すように、長機槓桿５の基端部５ｂには、支点刃３４を受ける支点溝５１が形成されている。また、基端部５ｂ寄りの中央部５ｃには、重点刃２４を受ける力点溝５２が形成されている。また、先端部５ａ寄りの中央部５ｃには、中間エッジ６を受ける荷重伝達溝５３が形成されている。長機槓桿５には、カバー２に加えられた荷重が、重点刃２４を介して伝達される。
【００２０】
中間エッジ６は、略四角形の環状を呈した平板から構成されており、短機槓桿４の作用点溝４３及び長機槓桿５の荷重伝達溝５３を対向する一対の辺部の内側縁部で受けている。図３に示すように、短機槓桿４の先端部４ａは、中間エッジ６を介して長機槓桿５の下方に吊り下げられた状態となっている。これにより、長機槓桿５には、短機槓桿４の受けた荷重が、中間エッジ６を介して伝達される。
【００２１】
図３に示すように、連結片７１には伝達槓桿７２が取り付けられている。連結片７１から突出した伝達槓桿７２の先端部には、略四角形の環状を呈した終端エッジ７３が挿通されている。終端エッジ７３には取付片７４が取り付けられており、伝達槓桿７２は終端エッジ７３を介して取付片７４に吊り下げられた状態となっている。取付片７４は、終端エッジ７３とロードセル７５の可動部とを固定している。ロードセル７５の固定部は、固定片７６を介してベース３に固定されている。
【００２２】
また、底板部３１には、後述する水平位置固定バネ８を取り付けるためのホルダー３６が設けられている。ホルダー３６が備えるバネ固定片３７には、水平位置固定バネ８のフック部８ｂが掛けられる引掛孔３７ａが設けられている。ホルダー３６は、各側壁部３２の幅方向の中央部の近傍に位置して設けられている。各側壁部３２の近傍に位置するホルダー３６は、対向して位置する側壁部３２のホルダー３６と向かい合って位置している。
【００２３】
図６に示すように、カバー２の各側壁部２２とベース３の各側壁部３２との間には、カバー２の側壁部２２をベース３の側壁部３２側に付勢する水平位置固定バネ８が取り付けられている。水平位置固定バネ８は、コイル部８ａを挟んだ一端部にフック部８ｂ、他端部に係止部８ｃを備えた引張コイルバネから構成されている。水平位置固定バネ８はコイル部８ａがバネ係止孔２５及びバネ挿通孔３８よりもやや小さく、係止部８ｃがバネ係止孔２５よりも大きな外形を有している。
【００２４】
水平位置固定バネ８は、係止部８ｃをバネ係止孔２５の周縁に係止され、コイル部８ａをバネ係止孔２５及びバネ挿通孔３８に挿通され、フック部８ｂをホルダー３６の引掛孔３７ａに掛けられてカバー２とベース３との間に介装されている。フック部８ｂは、下側から上側に向けて引掛孔３７ａに挿通されて、引掛孔３７ａに掛けられている。これにより、バネ係止孔２５の周縁部のバネ挿通孔３８の周縁部に対する位置が、図６（ａ）に示すように、両者が近接する所定の取付位置（中立位置）に付勢され、例えば、ベース３へのカバー２の取付位置が、図６（ｂ）に示すように所定の取付位置から水平方向にずれたとしても、この付勢力によりカバー２は図６（ａ）に示す位置に戻るようになっている。
【００２５】
図７に示すように、カバー２の荷重受部２１とベース３の底板部３１との間には、カバー２の荷重受部２１をベース３の底板部３１側に付勢するサイドスプリング９が取り付けられている。サイドスプリング９は、水平位置固定バネ８と同様にコイル部９ａ，フック部９ｂ，及び係止部９ｃを備えており、底板部３１のバネ固定孔３５に係止部９ｃを係止させ、荷重受部２１の係止片２８にフック部９ｂを掛けてカバー２とベース３との間に介装され、バネ固定孔３５の周縁部を係止片２８に向けて付勢している。
【００２６】
次に、本実施形態の体重計１での計量時の動作について説明する。ベース３が床面上に載置された状態において、図３に示すように、体重計１が備える各槓桿４，５は、支点刃３４で基端部４ｂ，５ｂを支持されると共に、先端部４ａ及び先端部５ａ寄りの中央部５ｃをそれぞれ中間エッジ６で支持されている。また、長機槓桿５は、先端部５ａを連結片７１で支持されている。このような状態で、各槓桿４，５は、重点刃２４を介してカバー２を支持している。
【００２７】
また、図６（ａ）に示すように、カバー２の側壁部２２とベース３の側壁部３２との間に介装された水平位置固定バネ８の付勢力により、側壁部２２のバネ係止孔２５の周縁部が、側壁部３２のバネ挿通孔３８の周縁部に向けて付勢されて、カバー２が所定の取付位置に位置している。また、図７に示すように、カバー２の荷重受部２１とベース３の底板部３１との間に介装されたサイドスプリング９の付勢力により、ベース３の底板部３１のバネ固定孔３５の周縁部が、カバー２の荷重受部２１の係止片２８に向けて付勢されている。
【００２８】
カバー２の重量やサイドスプリング９の付勢力により、各槓桿４，５には、重点刃２４を介して所定の大きさの荷重が加えられている。短機槓桿４で受けられたこの荷重は、中間エッジ６を介して長機槓桿５に伝達される。長機槓桿５は、重点刃２４から直接受けた荷重と、中間エッジ６を介して短機槓桿４から伝達された荷重とを、先端部５ａの固定された連結片７１に伝達する。
【００２９】
このようにして連結片７１に伝達された荷重は、伝達槓桿７２から終端エッジ７３を介してロードセル７５に伝達され、ロードセル７５が撓む。撓んだロードセル７５に生じた弾発力で、各槓桿４，５には重点刃２４から加えられる荷重に抗してカバー２を上方に押し付ける力が働く。これにより、ベース３に対するカバー２の取付位置が所定の位置に保たれている。
【００３０】
この状態で、被験者がカバー２２の載置部２ｂに両足を載置する等して、カバー２２に荷重が加えられると、カバー２のカバー金具２３から重点刃２４を介して各槓桿４，５に荷重が伝達される。このようにして加えられた荷重は、支点刃３４との接触点を支点として各槓桿４，５をベース３の底板部３１側に回動させるように働き、ロードセル７５の撓み量が大きくなる。この撓み量の変化を検知することにより荷重の計量が行われる。
【００３１】
被験者がカバー２２の載置部２ｂに両足を載置する際等に、カバー２に対して水平方向への荷重が働くと、カバー２が、水平位置固定バネ８及びサイドスプリング９の付勢力に抗して、ベース３に対する取付位置から水平方向にずれる。これにより、各槓桿４，５による重点刃２４の支持位置や、支点刃３４による各槓桿４，５の支持位置が所定の位置からずれて、これらの位置が所定の位置にある場合とで、ロードセル７５の可動部に加えられる荷重に違いが生じ、計量値に大きな誤差が生じる虞がある。
【００３２】
しかしながら、本実施形態の体重計１は、カバー２の側壁部２２とベース３の側壁部３２との間に介装されて、側壁部２２のバネ係止孔２５の周縁部を、側壁部３２のバネ挿通孔３８の周縁部に向けて付勢する水平位置固定バネ８を備えていることから、カバー２をより大きな力でベース３への取付位置に付勢してベース３に対するカバー２の取付位置のずれを防止することができる。このため、各槓桿４，５に対する重点刃２４の移動、及び、支点刃３４に対する各槓桿４，５の移動をより大きな力で規制することができる。この結果、各槓桿４，５による重点刃２４の支持位置や、支点刃３４による各槓桿４，５の支持位置が所定の位置からずれた状態で計量が行われるのを防止して、計量値に大きな誤差が生じるのを防ぐことができる。
【００３３】
しかも、カバー２の対向して位置する各側壁部２２のバネ係止孔２５の周縁部が、水平位置固定バネ８によりベース３の各側壁部３２が備えるバネ挿通孔３８側に付勢されていることから、向かい合って位置する一対の水平位置固定バネ８の付勢力を用いたより大きな力で、カバー２をベース３への取付位置に付勢することができ、ベース３に対するカバー２の取付位置のずれを効果的に防止することができる。
【００３４】
また、各側壁部２２のバネ係止孔２５の周縁部がカバー２の内側に屈曲しており、この屈曲部分で水平位置固定バネ８の係止部８ｃを収容することから、係止部８ｃが側壁部２２の外面よりも外側に突出した状態となるのを防止して、体重計１を取り扱い易くすることができる。また、カバー２に装飾用のカバーを取り付ける構成の場合には、係止部８ｃが邪魔になるのを防止することもできる。
【００３５】
上記実施形態の説明では、水平位置固定バネ８が、コイル部８ａを挟んだ一端部にフック部８ｂ、他端部に係止部８ｃを備える構成を有した場合について説明したが、カバー２の側壁部２２の所定箇所を、ベース３の側壁部３２の対応箇所に対して所定の中立位置（取付位置）に付勢するのであれば、その構成は任意である。例えば、コイル部８ａを挟んだ一端部にフック部８ｂに代えて係止部を水平位置固定バネ８が備える構成としてもよい。また、コイル部８ａを挟んだ他端部に係止部８ｃに代えてフック部を水平位置固定バネ８が備え、このフック部をカバー２の側壁部２２にバネ係止孔２５に代えて設けられた係止片に掛ける構成としてもよい。
【００３６】
また、上記実施形態の説明では、水平位置固定バネ８として引張コイルバネを用いた場合について説明したが、圧縮コイルバネを用いてカバー２の側壁部２２の所定箇所を、ベース３の側壁部３２の対応箇所に対して所定の中立位置に付勢する構成としてもよい。また、上記実施形態の説明では、カバー２が備える４つの側壁部２２とベース３が備える４つの側壁部３２との間に、それぞれ水平位置固定バネ８１を１つずつ介装した場合について説明しが、各側壁部２２と側壁部３２との間に介装する水平位置固定バネ８の個数は任意である。
【００３７】
また、ベースの備える側壁に、カバーの備える側壁を対面させてベースにカバー取り付けられる構成を有するのであれば、ベース及びカバーの形状は任意であり、ベース及びカバーが必ずしもそれぞれ４つの側壁部を備える必要はない。例えば、ベースが円形の底板部の周囲を囲う側壁を有する構成を有し、カバーが円形の荷重受部２１の周囲を囲う側壁を有する構成を有した他の槓桿式秤にも本発明を適用することができる。
【００３８】
また、上記実施形態では、ロードセル７５を用いて計量を行う体重計１に本発明を適用した場合について説明したが、他の槓桿式秤にも、本発明は適用することができる。
【図面の簡単な説明】
【００３９】
【図１】本発明の一実施形態の体重計の外観構成の概略を示す斜視図である。
【図２】図１に示す体重計が備えるカバーの構成の概略を示す斜視図である。
【図３】図１に示す体重計が備えるベースの構成の概略を示す斜視図である。
【図４】図３に示すベースが備える短機槓桿の構成の概略を示す側面図である。
【図５】図３に示すベースが備える長機槓桿の構成の概略を示す側面図である。
【図６】図１に示す体重計が備えるカバーのベースへの取付構造を説明する第１の断面図である。
【図７】図１に示す体重計が備えるカバーのベースへの取付構造を説明する第２の断面図である。
【符号の説明】
【００４０】
１          体重計
２          カバー
２１        荷重受部
２２        側壁部
３          ベース
３１        底板部
３２        側壁部
３６        ホルダー
３７        バネ固定片
３７ａ      引掛孔
３８        バネ挿通孔
８          水平位置固定バネ
８ａ        コイル部
８ｂ        フック部
８ｃ        係止部
【図１】
2009069126.tif 000003
【図２】
2009069126.tif 000004
【図３】
2009069126.tif 000005
【図４】
2009069126.tif 000006
【図５】
2009069126.tif 000007
【図６】
2009069126.tif 000008
【図７】
2009069126.tif 000009